(57)【特許請求の範囲】
【請求項１】
口を有する瓶状の容器を包装する包装箱であって、
３面以上の外壁と、この外壁に対応して設けられた３面以上の内壁とにより、中空筒状体が形成された二重壁構造を有し、
前記中空筒状体の一方の端部は、閉鎖部により閉鎖され、
前記中空筒状体の他方の端部は、中心部に前記容器の口を外部に露出させるための開口が形成され、その周縁部が、前記外壁に連続して設けられた外側組合部と、この外側組合部及び前記内壁に連続して設けられた内側組合部とを組み合わせることにより覆われており、
前記内壁の長さは、前記外壁の長さよりも短く、
前記外側組合部及び前記内側組合部は、前記外壁及び前記内壁に対応してそれぞれ３面以上設けられ、
前記外側組合部は、前記外壁から前記内側組合部に向かい、中空筒状体の一方の端部側に傾斜しており、
前記外壁の幅方向における外側組合部及び内側組合部の高さは、外壁の幅の１／２以上３／４以下の範囲内である
ことを特徴とする包装箱。
【請求項２】
前記内側組合部は、前記内壁から前記外側組合部に向かい、中空筒状体の他方の端部側に傾斜している
ことを特徴とする請求項１記載の包装箱。
【請求項３】
前記外側組合部及び前記内側組合部には、前記開口を形成する開口用切抜きがそれぞれ設けられ、
前記外側組合部と前記内側組合部とは、前記開口用切抜きの片側において連続しており、
前記開口用切抜きの反対側には、隣接する前記外側組合部及び前記内側組合部を挿入するための挿入用切抜きが設けられた
ことを特徴とする請求項１または請求項２記載の包装箱。
【発明の詳細な説明】
【技術分野】
【０００１】
本発明は、包装用の箱に関する。
【背景技術】
【０００２】
医薬品の臨床試験では、被験薬の効果を検討するために、実際には効果のない偽薬や、すでに効果が確認されている基準薬との比較が行われる。その際、投与される薬が被験薬であるのか対照薬であるのかが分かると、薬の有効性を正確に判断できない場合がある。そこで、医師にも被験者にも、被験薬か対照薬なのかが分からないようにして臨床試験を行う二重盲検試験が広く行われている。二重盲検試験では、通常、被験薬と対照薬との外観を同一として、区別できないようにする。しかし、薬の種類によっては、特に注射薬の場合、内容液等の組成の違いにより外観を完全に同一とすることが難しいことがある。そこで、包装により外側を覆い、被験薬と対照薬との区別を出来ないようにすることが対策として考えられる。
【０００３】
しかしながら、包装箱は、一般に、四角い筒状体の両端部に閉鎖部を開閉自在に連設した構造とされているので、開封しなければ薬を利用することができず、被験薬か対照薬かが分かってしまうという問題があった。また、薬用の包装箱として、改ざん又は不正な開封を防止する機能を備えたものも開発されているが（例えば、特許文献１参照）、この包装箱においても、開封しなければ利用することができないという点は同じであった。
【先行技術文献】
【特許文献】
【０００４】
【特許文献１】特開平６−３４５０７２号公報
【発明の概要】
【発明が解決しようとする課題】
【０００５】
本発明は、このような問題に基づきなされたものであり、開封しなくても収納物を利用することができる包装箱を提供することを目的とする。
【課題を解決するための手段】
【０００６】
本発明の包装箱は、３面以上の外壁と、この外壁に対応して設けられた３面以上の内壁とにより、中空筒状体が形成された二重壁構造を有するものであって、中空筒状体の一方の端部は、閉鎖部により閉鎖され、中空筒状体の他方の端部は、中心部に開口が形成され、その周縁部が、前記外壁に連続して設けられた外側組合部と、この外側組合部及び前記内壁に連続して設けられた内側組合部とを組み合わせることにより覆われており、内壁の長さは、外壁の長さよりも短く、外側組合部及び内側組合部は、外壁及び内壁に対応してそれぞれ３面以上設けられ、外側組合部は、外壁から内側組合部に向かい、中空筒状体の一方の端部側に傾斜しているものである。
【発明の効果】
【０００７】
本発明の包装箱によれば、中空筒状体の他方の端部において、中心部に開口を形成するようにしたので、例えば、開口から容器の口を突出させて包装箱の中に容器を収納することにより、包装箱を開封しなくても開口から容器の中の収納物を利用することができる。また、中空筒状体の他方の端部において、外壁に連続して設けられた外側組合部と、この外側組合部及び内壁に連続して設けられた内側組合部とを組み合わせることにより周縁部を覆い、内壁の長さを外壁の長さよりも短くし、外側組合部を外壁から内側組合部に向かい中空筒状体の一方の端部側に傾斜させるようにしたので、容器を包装箱から取り出そうとしても、簡単に取り出すことができず、改ざん又は不正な開封を防止することができる。
【０００８】
よって、例えば、二重盲検試験において、被験薬と対照薬との外観を同一とすることが難しい場合であっても、本発明の包装箱に収納し、使用することで、被験薬と対照薬とを区別できない状態で臨床試験を実施することができ、薬の有効性を正確に判断することができる。また、二重盲検試験に限らず、容器または収納物を保護しつつ、簡便に収納物を利用することができる。
【０００９】
また、内側組合部を内壁から外側組合部に向かい中空筒状体の他方の端部側に傾斜させるようにすれば、改ざん又は不正な開封をより効果的に防止することができると共に、容器を安定して収納することができる。
【００１０】
更に、外側組合部及び内側組合部に、開口を形成する開口用切抜きをそれぞれ設け、外側組合部と内側組合部とを開口用切抜きの片側において連続させ、開口用切抜きの反対側には、隣接する外側組合部及び内側組合部を挿入するための挿入用切抜きを設けるようにすれば、簡単に包装箱を組み立てて構成することができる。
【図面の簡単な説明】
【００１１】
【図１】本発明の一の実施の形態に係る包装箱の外観構成を表す図である。
【図２】図１に示した包装箱のＩ−Ｉ線に沿った構造を表す端面図である。
【図３】図１に示した包装箱を展開した状態を表す図である。
【図４】図３に示した展開した包装箱の内壁が外壁と重なるように折り曲げた状態を表す図である。
【図５】図３に示した展開した包装箱の内壁が外壁と重なるように折り曲げ、更に、両側の内壁及び外壁を折り曲げた状態を表わす図である。
【図６】図１に示した包装箱の内部に容器を収納する手順を表す端面図である。
【発明を実施するための形態】
【００１２】
以下、本発明の実施の形態について、図面を参照して詳細に説明する。
【００１３】
図１は本発明の一実施の形態に係る包装箱１の外観構成を表すものであり、図２はＩ−Ｉ線に沿った端面構造を表すものであり、図３は展開した状態を表すものであり、図４及び図５は一部を折り曲げた状態を表すものである。この包装箱１は、例えば、口を有する瓶状のガラス製又はプラスチック製などの容器Ｍを包装するのに適したものである。容器Ｍとしては、例えば、医薬品の容器として一般的に用いられるバイアル瓶、アンプル瓶などが挙げられ、収納した状態での使用に適することから、バイアル瓶が好ましい。この包装箱１は、一枚の板紙を折り曲げて形成されており、３面以上の外壁１１と、この外壁１１に対応して設けられた３面以上の内壁１２とにより、中空筒状体１０が形成された二重壁構造を有している。なお、図１から図５では、外壁１１及び内壁１２がそれぞれ４面の場合について示している。
【００１４】
外壁１１の各面は、折り曲げ線１３Ａを介して、幅方向（ｘ方向；図３参照）において連続して設けられており、幅方向における片方の側辺には、糊代１４Ａが折り曲げ線１３Ｂを介して外壁１１に連続して設けられている。内壁１２の各面も、折り曲げ線１３Ｃを介して、幅方向において連続して設けられており、幅方向における片方の側辺には、糊代１４Ｂが折り曲げ線１３Ｄを介して内壁１２に連続して設けられている。外壁１１の長さＬ１（図３参照）は、内壁１２の長さＬ２（図３参照）よりも長く構成されている。外壁１１と内壁１２との長さの差Ｌ１−Ｌ２は、包装する容器Ｍの大きさにより異なるが、例えば、５ｍｍ以上５ｃｍ以下の範囲内であれば好ましく、１ｃｍ以上４ｃｍ以下の範囲内であればより好ましい。
【００１５】
中空筒状体１０の一方の端部は、閉鎖部２１により閉鎖されている。閉鎖部２１は、外壁１１の長さ方向における一方の端部において、折り曲げ線２２Ａを介し、外壁１１の１つの面に連続して設けられている。閉鎖部２１の先端には、差込片２３が折り曲げ線２２Ｂを介し連続して設けられている。外壁１１の長さ方向における一方の端部には、また例えば、少なくとも１つの折り曲げ片２４が、折り曲げ線２２Ａを介して外壁１１の他の面に連続して設けられている。折り曲げ片２４は、例えば、図１から図５では、２つ設けられており、長さは閉鎖部２１のほぼ半分とされている。
【００１６】
中空筒状体１０の一方の端部には、また例えば、閉鎖部２１及び折り曲げ片２４の内側に、中板２５が設けられている。中板２５は、内壁１２の長さ方向における一方の端部に、折り曲げ線２２Ｃを介して、内壁１２の１つの面に連続して設けられている。中板２５は、例えば、内壁１２の内側全体を覆う程度の大きさとされている。
【００１７】
中空筒状体１０の他方の端部は、外壁１１に連続して折り曲げ線３１Ａを介して設けられた外側組合部３２と、この外側組合部３２及び内壁１２に連続して折り曲げ線３１Ｂ，３１Ｃを介して設けられた内側組合部３３とを組み合わせることにより、周縁部が覆われており、中心部には開口３４が形成されている。開口３４は、例えば、容器Ｍの口を外部に露出させるためのものである。外側組合部３２及び内側組合部３３は、外壁１１及び内壁１２に対応してそれぞれ３面以上設けられており、図１から図５では、それぞれ４面設けられている。
【００１８】
外側組合部３２は、外壁１１から内側組合部３３に向かい、中空筒状体１０の一方の端部側に傾斜している。容器Ｍを取り出し難くすることができるからである。内側組合部３３は、内壁１２から外側組合部３２に向かい、中空筒状体１０の他方の端部側に傾斜していることが好ましい。容器Ｍをより取り出し難くすることができると共に、容器Ｍを安定して収納することができるからである。なお、内側組合部３３は、内壁１２に対して垂直とされていてもよく、また、中空筒状体１０の一方の端部側に傾斜していてもよい。
【００１９】
外側組合部３２及び内側組合部３３には、開口３４を形成する開口用切抜き３２Ａ，３３Ａがそれぞれ設けられている。開口用切抜き３２Ａ，３３Ａは、例えば、外側組合部３２と内側組合部３３との連続部分を切り抜くように繋がって形成されており、外側組合部３２と内側組合部３３とは、開口用切抜き３２Ａ，３３Ａの片側において折り曲げ線３１Ｂを介して連続している。開口用切抜き３２Ａ，３３Ａの反対側には、隣接する外側組合部３２及び内側組合部３３を挿入するための挿入用切抜き３２Ｂ，３３Ｂがそれぞれ設けられている。
【００２０】
外壁１１の幅方向（ｘ方向）における外側組合部３２及び内側組合部３３の高さＨ（図５参照）、すなわち外壁１１から外側組合部３２と内側組合部３３との間の折り曲げ線３１Ｂまでの距離は、包装する容器Ｍの大きさにより異なるが、例えば、外壁１１の幅の１／３以上４／５以下程度が好ましく、１／２以上３／４以下程度の範囲内であればより好ましい。高さＨが低いと収納した容器Ｍを取り出し難くする効果が低くなり、高さＨが高いと簡単に組み立てることが難しくなるからである。
【００２１】
この包装箱１は、次のようにして組み立てられる。まず、図３に示したように、一枚の板状に展開された状態の包装箱１を、例えば、外壁１１と外側組合部３２との間の折り曲げ線３１Ａで２つ折りにする。次いで、例えば、図４に示したように、外側組合部３２と内側組合部３３との間の折り曲げ線３１Ｂ、及び、内側組合部３３と内壁１２との間の折り曲げ線３１Ｃで折り曲げて、外側組合部３２及び内側組合部３３を突出させ、内壁１２の一方の端部を外壁１１の一方の端部に合わせる。
【００２２】
続いて、例えば、図５に示したように、両側の外壁１１及び内壁１２を、折り曲げ線１３Ａ，１３Ｃで内側に折り曲げる。その際、外側組合部３２及び内側組合部３３を、隣接する外側組合部３２及び内側組合部３３の挿入用切抜き３２Ｂ，３３Ｂに挿入する。更に、例えば、外壁１１及び内壁１２を真ん中の折り曲げ線１３Ａ，１３Ｃで内側に折り曲げ、同様に、外側組合部３２及び内側組合部３３を、隣接する外側組合部３２及び内側組合部３３の挿入用切抜き３２Ｂ，３３Ｂに挿入する。
【００２３】
次いで、例えば、糊代１４Ｂを反対側の内壁１２に接着し、糊代１４Ａを反対側の外壁１１に接着して、中空筒状体１０を形成する。そののち、例えば、中板２５、折り曲げ片２４、及び閉鎖部２１をこの順に折り曲げ線２２Ｃ，２２Ａで内側に折り曲げ、差込片２３を折り曲げ線２２Ｂで折り曲げて、外壁１１と内壁１２との間に挿入し、中空筒状体１０の一方の端部を閉鎖する。これにより、包装箱１が組み立てられる。
【００２４】
また、この包装箱１は、次のようにして容器Ｍを収納する。まず、例えば、図６に示したように、閉鎖部２１を開け、折り曲げ片２４及び中板２５を開けて、容器Ｍを中空筒状体１０の他方の端部、すなわち開口３４の側から、容器Ｍの底部を先にして挿入する。その際、突出するように折り曲げられている外側組合部３２及び内側組合部３３は、平板状に伸びて、内壁１２は、中空筒状体１０の一方の端部側に移動する。次いで、容器Ｍの口を外側組合部３４の開口用切抜き３２Ａの付近まで挿入したら、例えば、内壁１２を他方の端部側に移動させ、外側組合部３２及び内側組合部３３を突出させて、容器Ｍの口を開口３４に合わせる（図２参照）。これにより、容器Ｍは、他方の端部側に引き出すことができなくなり、一方の端部側から引き出すことも難しくなる。続いて、例えば、一方の端部側において、中板２５、折り曲げ片２４、及び閉鎖部２１をこの順に折り曲げ、差込片２３を外壁１１と内壁１２との間に挿入し、外壁１１に接着する。これにより、容器Ｍが収納される。
【００２５】
このように本実施の形態によれば、中空筒状体１０の他方の端部において、中心部に開口３４を形成するようにしたので、例えば、開口３４から容器Ｍの口を突出させて包装箱１の中に容器Ｍを収納することにより、開封しなくても開口３４から容器Ｍの中の収納物を利用することができる。また、中空筒状体１０の他方の端部において、外壁１１に連続して設けられた外側組合部３２と、この外側組合部３２及び内壁１２に連続して設けられた内側組合部３３とを組み合わせることにより周縁部を覆い、内壁１２の長さを外壁１１の長さよりも短くし、外側組合部３２を外壁１１から内側組合部３３に向かい中空筒状体１０の一方の端部側に傾斜させるようにしたので、容器Ｍを包装箱１から取り出そうとしても、簡単に取り出すことができず、改ざん又は不正な開封を防止することができる。
【００２６】
よって、例えば、二重盲検試験において、被験薬と対照薬との外観を同一とすることが難しい場合であっても、この包装箱１に収納し、使用することで、被験薬と対照薬とを区別できない状態で臨床試験を実施することができ、薬の有効性を正確に判断することができる。また、二重盲検試験に限らず、容器Ｍまたは収納物を保護しつつ、簡便に収納物を利用することができる。
【００２７】
また、内側組合部３３を内壁１２から外側組合部３２に向かい中空筒状体１０の他方の端部側に傾斜させるようにすれば、改ざん又は不正な開封をより効果的に防止することができると共に、容器Ｍを安定して収納することができる。
【００２８】
更に、外側組合部３２及び内側組合部３３に、開口３４を形成する開口用切抜き３２Ａ，３３Ａをそれぞれ設け、外側組合部３２と内側組合部３３とを開口用切抜き３２Ａ，３３Ａの片側において折り曲げ線３１Ｂを介して連続させ、開口用切抜き３２Ａ，３３Ａの反対側には、隣接する外側組合部３２及び内側組合部３３を挿入するための挿入用切抜き３２Ｂ，３３Ｂを設けるようにすれば、簡単に包装箱１を組み立てて構成することができる。
【００２９】
以上、実施の形態を挙げて本発明を説明したが、本発明は上記実施の形態に限定されるものではなく、種々変形可能である。例えば、上記実施の形態では、各構成要素の具体的な形について図面に示して説明したが、他の形状を有するように構成してもよい。
【産業上の利用可能性】
【００３０】
容器などを包装する包装箱に用いることができる。
【符号の説明】
【００３１】
１…包装箱、１０…中空筒状体、１１…外壁、１２…内壁、１３Ａ，１３Ｂ，１３Ｃ，１３Ｄ…折り曲げ線、１４Ａ，１４Ｂ…糊代、２１…閉鎖部、２２Ａ，２２Ｂ，２２Ｃ…折り曲げ線、２３…差込片、２４…折り曲げ片、２５…中板、３１Ａ，３１Ｂ，３１Ｃ…折り曲げ線、３２…外側組合部、３２Ａ…開口用切抜き、３２Ｂ…挿入用切抜き、３３…内側組合部、３３Ａ…開口用切抜き、３３Ｂ…挿入用切抜き、３４…開口
【図１】
0005669060.tif 000002
【図２】
0005669060.tif 000003
【図３】
0005669060.tif 000004
【図４】
0005669060.tif 000005
【図５】
0005669060.tif 000006
【図６】
0005669060.tif 000007